(57)【特許請求の範囲】
【請求項１】
特定音を発し、受信音が自ら発した特定音か否かを判断して盗聴器の検出を行う盗聴器検出器であって、
上記特定音を発音する発音部と、
上記盗聴器が送信している電波信号の受信レベルを検出し、検出結果に基づいて上記発音部を制御する受信レベル制御部と、
上記盗聴器の検出結果に応じて上記特定音の出力レベルを段階的に調整する出力レベル調整部と、
上記出力レベル調整部で段階的に調整する出力レベルに応じた表示レベルで表示を行う表示部とを有し、
上記受信レベル制御部は、上記受信レベルを所定のしきい値と比較し、上記受信レベルが上記しきい値以上であれば上記盗聴器を検出したものと判断し、上記受信レベルが上記しきい値以下であれば上記盗聴器を検出しなかったものと判断し、
上記出力レベル調整部は、上記盗聴器が検出された場合、上記特定音の出力レベルを一段階下げるとともに上記表示レベルを一段上げ、上記盗聴器が検出されなかった場合、上記特定音の出力レベルを一段階上げるとともに上記表示レベルを一段下げる
盗聴器検出器。
【請求項２】
上記出力レベル調整部は、
上記特定音の出力レベルが最低段階または最高段階の場合、上記盗聴器が検出されても上記特定音の出力レベルを変更しない
請求項１記載の盗聴器検出器。
【発明の詳細な説明】
【技術分野】
【０００１】
本発明は、盗聴器の検出を行う盗聴器検出器に関するものである。
【背景技術】
【０００２】
盗聴器が発する電波信号を検出して盗聴器の有無を判断する盗聴器検出器（たとえば特許文献１を参照）や、スピーカから発せられた音波信号が電波信号として発せられていることを検出して、盗聴器を検知する盗聴器検出器が開示されている（たとえば特許文献２を参照）。
【０００３】
特許文献１，２に開示されている盗聴器検出器は、盗聴器を検出するとスピーカの出力音量を順次下げながら、盗聴器が仕掛けられている設置場所を絞り込んでいくものである。
【特許文献１】特開昭４９−２４０８９号公報
【特許文献２】特開２０００−１３５００号公報
【発明の開示】
【発明が解決しようとする課題】
【０００４】
上述の特許文献１，２に開示されている盗聴器検出器は、盗聴器の検出精度が高い反面、常時大きな音を発信するため、盗聴器検出器のユーザ（使用者）や周囲の人に不快感を与え、静かな環境や深夜での使用、連続的な使用には不向きである。
【０００５】
本発明は、静かな環境下であっても周囲に与える影響を最小限にし、容易に盗聴器を検出できる盗聴器検出器を提供することにある。
【課題を解決するための手段】
【０００６】
本発明の第１の観点の盗聴器検出器は、特定音を発し、受信音が自ら発した特定音か否かを判断して盗聴器の検出を行う盗聴器検出器であって、上記特定音を発音する発音部と、上記盗聴器が送信している電波信号の受信レベルを検出し、検出結果に基づいて上記発音部を制御する受信レベル制御部と、上記盗聴器の検出結果に応じて上記特定音の出力レベルを段階的に調整する出力レベル調整部と、上記出力レベル調整部で段階的に調整する出力レベルに応じた表示レベルで表示を行う表示部とを有し、上記受信レベル制御部は、上記受信レベルを所定のしきい値と比較し、上記受信レベルが上記しきい値以上であれば上記盗聴器を検出したものと判断し、上記受信レベルが上記しきい値以下であれば上記盗聴器を検出しなかったものと判断し、上記出力レベル調整部は、上記盗聴器が検出された場合、上記特定音の出力レベルを一段階下げるとともに上記表示レベルを一段上げ、上記盗聴器が検出されなかった場合、上記特定音の出力レベルを一段階上げるとともに上記表示レベルを一段下げる。
【００１１】
好適には、上記出力レベル調整部は、上記特定音の出力レベルが最低段階または最高段階の場合、上記盗聴器が検出されても上記特定音の出力レベルを変更しない。
【００１３】
本発明によれば、静かな環境下であっても周囲に与える影響を最小限にし、容易に盗聴器を検出できる盗聴器検出器を提供できる。
【発明を実施するための最良の形態】
【００１４】
以下、本発明の実施形態を図面に関連付けて説明する。
【００１５】
（第１実施形態）
図１は、本実施形態に係る盗聴器検出器の一形態を示すブロック図である。
【００１６】
図１の盗聴器検出器１００は、受信アンテナ１０１、受信回路１０２、増幅器１０３、バンドパスフィルタ１０４、マイクロコンピュータ１０５、切り替え部１０７、スキャン部１０６、ＶＣＯ１０８、信号増幅器１０９、スピーカ１１０、表示部１１１、および記憶部１１２を有する。
受信回路１０２は、高周波増幅器１０２１、混合器１０２２、中間周波数増幅器１０２３、受信レベル検出部（受信レベル制御部）１０２４、および検波器１０２５で構成されている。
信号増幅器１０９は、音量調整部（出力レベル調整部）１０９１で構成されている。信号増幅器１０９、およびスピーカ１１０で発音部が構成されている。
【００１７】
次に、盗聴器検出器１００の各構成要素について説明する。
受信アンテナ１０１は、盗聴器２００が発信している電波信号を受信し、電波信号を受信回路１０２の高周波増幅器１０２１に出力する。
【００１８】
高周波増幅器１０２１は、受信アンテナ１０１が受信した電波信号が入力され、高周波の信号（たとえば４００ＭＨｚ程度）を増幅して混合器１０２２に出力する。
【００１９】
混合器１０２２は、高周波増幅器１０２１によって増幅された電波信号と、ＶＣＯ１０８が発振する所定周波数の信号とが入力され、周波数の異なる２つの信号を掛け合わせて混合し、中間周波数増幅器１０２３に出力する。
【００２０】
中間周波数増幅器１０２３は、混合器１０２２から入力された信号の内、中間周波数成分（たとえば１０．７ＭＨｚ程度）のみを増幅し、信号を検波器１０２５に出力する。
【００２１】
受信レベル検出部１０２４は、中間周波数増幅器１０２３が出力した信号の受信レベル（ＲＳＳＩ；Received Signal Strength Indication）を検出し、検出信号ＳＲをマイクロコンピュータ１０５に出力する。受信レベル検出部１０２４は、受信レベルが所定のしきい値を超えたか否かを判断し、しきい値を超えた場合は真の検出信号ＳＲ１（たとえばハイレベルの電圧信号）を、しきい値を超えない場合は偽の検出信号ＳＲ２（たとえばローレベルの電圧信号）をマイクロコンピュータ１０５に出力する。受信レベルは、スキャン時にマイクロコンピュータ１０５によって参照される。所定のしきい値は、好適に設定される。
【００２２】
検波器１０２５は、中間周波数増幅器１０２３から入力された信号を復調して音声信号を取り出し、増幅器１０３に出力する。
【００２３】
増幅器１０３は、検波器１０２５から音声信号が入力され、所定の音声レベルまで増幅し、バンドパスフィルタ１０４に出力する。
【００２４】
バンドパスフィルタ１０４は、増幅された音声信号から特定の周波数成分を取りだし、マイクロコンピュータ１０５に出力する。
【００２５】
マイクロコンピュータ１０５は、バンドパスフィルタ１０４から入力された音声信号を内蔵されたＡ／Ｄ変換器にて割り込み（サンプリング）周波数毎にアナログからデジタルの信号にＡ／Ｄ変換する。
【００２６】
マイクロコンピュータ１０５は、特定周波数の音声信号を出力させるための信号Ｓ１を信号増幅器１０９に出力する。また、マイクロコンピュータ１０５は、信号増幅器１０９に音声信号をスピーカ１１０を介して出力させるか否かを制御するための制御信号Ｓ３を信号増幅器１０９に出力する。具体的には、マイクロコンピュータ１０５は、信号増幅器１０９に音声信号を出力させる場合には制御信号Ｓ３１を、出力させない場合には制御信号Ｓ３２を信号増幅器１０９に出力する。
【００２７】
マイクロコンピュータ１０５は、受信レベル検出部１０２４から入力された検出信号ＳＲの真偽に基づいた処理を行う。具体的には、マイクロコンピュータ１０５は、真の検出信号ＳＲ１が入力された場合、Ａ／Ｄ変換された音声信号から所定の演算方法によって特定の周波数成分（たとえば１ｋＨｚ）の振幅の大きさを算出し、偽の検出信号ＳＲ２が入力された場合、音声出力を停止させる制御信号Ｓ３２を信号増幅器１０９に出力した後、前述の振幅の大きさを算出する。なお、前記演算方法は、特に限定されないが、公開特許公報「特開２００７−３２４９１４号公報」に記載の方法が望ましい。
【００２８】
後述する割り込み処理において、マイクロコンピュータ１０５は、特定周波数成分の振幅の大きさが所定のしきい値以上か否かを判断し、特定周波数成分の振幅の大きさがしきい値以上のとき、盗聴器検出フラグをセットする。また、マイクロコンピュータ１０５は、盗聴器２００の検出時またはスキャン周波数が最大に達した時に、音量レベルおよび表示レベルを切り替えるか否かを判定し、切り替える場合、切り替え処理フラグをセットする。
【００２９】
マイクロコンピュータ１０５は、たとえばＰＷＭ（Pulse Width Modulation；パルス幅変調）の平滑電圧によって音量レベルを調整するためのパルス状の制御信号Ｓ２を生成し、音量調整部１０９１に出力する。本実施形態では、音量レベルを５段階で調整するが、何段階に設定するかは好適に設定可能で限定されない。
【００３０】
マイクロコンピュータ１０５は、表示内容を制御する制御信号Ｓ４を生成して表示部１１１に出力する。これにより、表示部１１１は、信号増幅器１０９の出力（音量）レベルに応じた値を表示部１１１に表示する。ここで、出力レベルに応じた値には、出力レベルの制御値あるいはスピーカ１１０の出力レベルを含む。
なお、ＰＷＭに限らず、後述するデジタル／アナログ（Ｄ／Ａ）変換器にて電圧を制御するようにしてもよい。
【００３１】
マイクロコンピュータ１０５は、不図示のカウンタ等を用いてスキャン開始時点からの経過時間をカウントし、経過時間が所定時間（本実施形態では１００ｍｓ程度）経過したか否かを判断する。
【００３２】
本実施形態においては、ハードウェアのフィルタと、マイクロコンピュータ１０５による信号処理（デジタルフィルタの処理）を合わせて用いることにより、簡単なハードウェアと信号処理で高い選択度（Ｑ）で特定周波数を弁別し、高精度の周波数弁別を行い、この弁別された特定周波数レベルをもとに、発信音の音声レベルを制御し、安定した盗聴器２００の発見を行うことのできる盗聴器検出器１００を実現している。
【００３３】
後述するスキャン部１０６の電圧比較部ＣＰＮは、スキャン周波数（電流供給ノードＮＤＩの電圧ＶＣＮＴ）が最大になったとき、エンド信号ＥＮＤをハイレベルにする。マイクロコンピュータ１０５は、エンド信号ＥＮＤがハイレベルになったことを検知すると、スキャン部１０６のリセット信号線ＲＳＴＬにハイレベルのリセット信号を出力し、電流供給ノードＮＤＩの電圧を接地電位にリセットする。これにより、スキャン処理が終了する。
なお、マイクロコンピュータ１０５が行う動作は、記憶部１１２に記憶されたプログラムにしたがって処理を行うことができる。
【００３４】
次に、スキャン部１０６および切り替え部１０７について説明する。図２は、本実施形態に係るスキャン部および切り替え部の構成例を示す回路図である。
【００３５】
スキャン部１０６は、ｐｎｐ型のトランジスタＴＲ１とＴＲ２、抵抗Ｒ１〜Ｒ４、およびノードＮＤ１〜ＮＤ３で構成されている電圧比較部ＣＰＮと、ｐｎｐ型のトランジスタＴＲ３、抵抗Ｒ５〜Ｒ７、ノードＮＤ４、ＮＤ５で構成され、電流ＩＣ３を生成する第１の電流源と、キャパシタＣ１と、電流供給ノードＮＤＩと、電流供給ノードＮＤＩを所定電圧にリセットするためのｎｐｎ型のトランジスタＴＲ４と、ノードＮＤ６を有する。
【００３６】
電圧比較部ＣＰＮの抵抗Ｒ１とＲ２は、電源電位ＶＤＤと接地電位ＧＮＤとの間に直列に接続されている。
【００３７】
そして、トランジスタＴＲ１は、ベースがノードＮＤ１に、エミッタがノードＮＤ２に、コレクタがノードＮＤ３にそれぞれ接続されている。トランジスタＴＲ２は、ベースがノードＮＤ４に、エミッタがノードＮＤ２に、コレクタが接地電位ＧＮＤにそれぞれ接続されている。
【００３８】
抵抗Ｒ３は、電源電位ＶＤＤとノードＮＤ２との間に接続され、抵抗Ｒ４は、接地電位ＧＮＤとノードＮＤ３との間に接続されている。また、ノードＮＤ３は、エンド信号線ＥＮＤＬに接続されている。
【００３９】
抵抗Ｒ５とＲ６は、電源電位ＶＤＤと接地電位ＧＮＤとの間に直列に接続され、抵抗Ｒ７は、電源電位ＶＤＤとトランジスタＴＲ３のエミッタとの間に接続されている。また、キャパシタＣ１は、電流供給ノードＮＤＩと接地電位ＧＮＤとの間に接続されている。さらに、電流供給ノードＮＤＩは、ノードＮＤ６とＮＤ８を介してＶＣＯ制御信号線ＶＣＮＴＬでＶＣＯ１０８と接続されている。
【００４０】
トランジスタＴＲ３は、ベースがノードＮＤ５に、エミッタが抵抗Ｒ７に、コレクタがノードＮＤ４にそれぞれ接続されている。トランジスタＴＲ４は、ベースがリセット信号線ＲＳＴＬでマイクロコンピュータ１０５に、エミッタが接地電位ＧＮＤに、コレクタがノードＮＤ６にそれぞれ接続されている。
【００４１】
切り替え部１０７は、ｐｎｐ型のトランジスタＴＲ５、ノードＮＤ７、ＮＤ８および抵抗Ｒ８〜Ｒ１０で構成され、電流ＩＣ４を生成する第２の電流源と、第２の電流源の電流を供給するか否かを切り替え、スイッチとして動作するｎｐｎ型のトランジスタＴＲ６を有する。
【００４２】
トランジスタＴＲ５は、ベースがノードＮＤ７に、エミッタが抵抗Ｒ８に、コレクタがノードＮＤ８にそれぞれ接続されている。
【００４３】
抵抗Ｒ８は、電源電位ＶＤＤとトランジスタＴＲ５のエミッタとの間に接続されている。また、抵抗Ｒ９と抵抗Ｒ１０は、電源電位ＶＤＤとトランジスタＴＲ６のコレクタとの間に直列に接続されている。
【００４４】
トランジスタＴＲ６は、ベースが切り替え信号線ＣＮＴＬでマイクロコンピュータ１０５に、エミッタが接地電位ＧＮＤに、コレクタが抵抗Ｒ１０にそれぞれ接続されている。
【００４５】
また、ＶＣＯ制御信号線ＶＣＮＴＬには電流供給ノードＮＤＩの電圧ＶＣＮＴが、リセット信号線ＲＳＴＬにはリセット信号ＲＳＴが、切り替え信号線ＣＮＴＬには切り替え信号ＣＮＴが、エンド信号線ＥＮＤＬにはエンド信号ＥＮＤが、それぞれ伝搬される。
【００４６】
スキャン部１０６は、第１の電流源と、オンまたはオフに切り替えられる第２の電流源（切り替え部１０７が有する）とを用いて、キャパシタＣ１を充電する。そして、スキャン部１０６は、電圧比較部ＣＰＮにて、電流供給ノードＮＤＩの電圧と基準電圧とを比較し、電流供給ノードＮＤＩの電圧が基準電圧に達した時に、キャパシタＣ１の電圧を所定電圧（たとえば接地電位）にリセットする。
【００４７】
スキャン部１０６は、キャパシタＣ１の電圧が所定電圧にリセットされるまでの期間、電流供給ノードＮＤＩの電圧をＶＣＯ１０８に出力する。
【００４８】
切り替え部１０７は、マイクロコンピュータ１０５から制御信号が入力され、受信レベル検出部１０２４にて検出される受信レベルが一定値以下の場合は、スイッチをオンに切り替える。受信レベルが一定値以上の場合は、スイッチをオフに切り替える。
【００４９】
本実施形態では、図２に示すスキャン部１０６および切り替え部１０７によって、スキャン速度を切り替えでき（通常スキャン速度と低速スキャン速度）、スキャン速度を向上させている。
【００５０】
ＶＣＯ１０８は、スキャン部１０６から電流供給ノードＮＤＩ（図２）の電圧が入力され、盗聴器検出器１００が電波信号を安定して受信するために、スキャン部１０６からの入力電圧に応じた周波数で発振し、所定周波数の信号を混合器１０２２に出力する。
【００５１】
信号増幅器１０９は、マイクロコンピュータ１０５から特定周波数の音（特定音）を発信するための信号Ｓ１が入力される。信号増幅器１０９は、生成した音声信号をスピーカ１１０を介して出力するか否かを切り替える制御信号Ｓ３が入力され、制御信号Ｓ３の内、制御信号Ｓ３１が入力された場合は、音声信号を出力し、制御信号Ｓ３２が入力された場合は、音声信号の出力を停止する。
【００５２】
音量調整部１０９１について図３を適宜参照しながら説明する。図３は、本実施形態に係る音量調整部を説明するための図である。
音量調整部１０９１は、図示しない音声信号増幅器（Amplifier；以後アンプという）や平滑回路等で構成されている。音量調整部１０９１は、マイクロコンピュータ１０５から音量レベルを調整するための制御信号Ｓ２が入力され、信号増幅器１０９が生成した音声信号の音量レベルをアンプ等を用いて５段階で調整し、スピーカ１１０に出力する。
【００５３】
ここで、音量調整部１０９１の回路構成について述べる。音量調整部１０９１は、図３に示すようにパルス状の制御信号Ｓ２を平滑回路にて直流に平滑する。たとえば、平滑回路に入力された制御信号Ｓ２の電圧を５Ｖ、周波数を１０ｋＨｚ、デューティ比を５０％とすると、平滑後の電圧は、デューティ比が１００％時の半分、すなわち２．５Ｖとなる。音量調整部１０９１の回路構成は、限定されないが、スピーカ１１０が発信する音量が平滑後の電圧に比例するような回路であれば、制御信号Ｓ２によって音量を制御できる。
【００５４】
説明の便宜上、最小の音量レベルを音量ＶＯＬ１、最大の音量レベルを音量ＶＯＬ５のように、５段階で適宜表記する。この音量レベルの最大値および最小値、音量レベル間の幅などは、好適に設定可能である。
【００５５】
表示部１１１について説明する。図４は、本実施形態に係る表示部の主要部の構成例を示す回路図である。表示部１１１は、図４に示すように、スイッチＳＷ１〜ＳＷ５、抵抗Ｒ１１〜Ｒ１５、発光素子（LED；Light Emitting Diode）としてのＬＥＤ１〜ＬＥＤ５を有する。それぞれのスイッチＳＷ１〜ＳＷ５、抵抗Ｒ１１〜Ｒ１５およびＬＥＤ１〜ＬＥＤ５がそれぞれ直列接続され、直列接続されたそれぞれが並列接続されている。スイッチＳＷ１〜ＳＷ５の一端が共通に電源電位ＶＤＤに、ＬＥＤ１〜ＬＥＤ５のカソード側が共通に接地電位に接続されている。
【００５６】
表示部１１１は、マイクロコンピュータ１０５が盗聴器２００を検出すると、盗聴器２００の検出結果に応じて図示しない制御信号Ｓ４が入力され、制御信号Ｓ４に応じたスイッチＳＷがオンに切り替わってＬＥＤが発光することで、ユーザ（盗聴器検出器１００の使用者）と盗聴器２００との推定距離を５段階で表示する。この表示の段階を単に表示レベルともいう。表示部１１１は、他に図示しない発光素子や表示パネルなどが設けられ、たとえば電源の投入状態や検出結果など種々の情報を好適に表示できる。なお、図４に示す表示部１１１の回路構成は主要部の一例であって、本実施形態に限定されない。
【００５７】
記憶部１１２は、たとえばフラッシュＲＯＭあるいはレジスタ等で構成され、たとえばマイクロコンピュータ１０５が処理する内容のプログラム、一時的なデータを記憶し、マイクロコンピュータ１０５によって適宜読み出しされる。記憶部１１２の構成、記憶内容等は特に限定されない。
【００５８】
盗聴器２００は、アンテナ２０１、およびマイクロフォン２０２を有する。盗聴器２００は、マイクロフォン２０２で音声（音波信号）を取得し、その音波信号で搬送波の高周波を変調して、アンテナ２０１を介して送出する。盗聴器２００による一連の動作を盗聴と表現する。盗聴器２００の構成等は特に限定されないが、盗聴器２００がたとえばＶＯＸ（Voice Operation Transmission）機能を有することがある。ＶＯＸ機能は、盗聴器２００が音声を受信したときに起動して盗聴を行い、無音状態のときは盗聴を行わない。したがって、無音状態のとき、盗聴器２００は電波信号を送出しない。
【００５９】
次に、マイクロコンピュータ１０５上で実行される盗聴器検出処理について説明する。図５は、本実施形態に係る盗聴器検出器による盗聴器検出処理例を示すフローチャートである。図６は、本実施形態に係る割り込み処理例を示すフローチャートである。
【００６０】
はじめに図５に示す盗聴器検出処理について説明し、その後、図６に示す割り込み処理について説明する。
【００６１】
（ステップＳＴ１１）
図５に示すように、盗聴器検出処理のメインルーチンが開始される。
【００６２】
（ステップＳＴ１２）
はじめに、図５に示すように盗聴器検出器１００は、ユーザによって設定されたスキャン周波数、発信する音の周波数等を記憶部１１２等に反映させ、記憶部１１２内のレジスタの初期化等を行う。なお、ユーザによる初期設定の入力は、図示しない外部入力装置等で設定される。
以下の説明では、盗聴器２００に多く使用されている１３９ＭＨｚから４００ＭＨｚの周波数をカバーするため、スキャン周波数を１００ＭＨｚ〜５００ＭＨｚとし、音量レベルおよび表示レベルが共に５段階であるものとする。詳細は後述するが、出力する音声信号の周波数を１ｋＨｚとすると、割り込み（サンプリング）周波数は、４倍の４ｋＨｚに設定する。
【００６３】
（ステップＳＴ１３）
マイクロコンピュータ１０５は、スキャンスタート信号（ハイレベルのリセット信号ＲＳＴ）を送出した後、割り込み処理を許可する。これにより、盗聴周波数のスキャンと割り込み処理が開始される。
【００６４】
（ステップＳＴ１４）
マイクロコンピュータ１０５は、割り込み処理を終了するか否かの判定を繰り返し行う。
具体的には、マイクロコンピュータ１０５は、割り込み処理を終了させるか否かを、切り替え処理フラグ（後述のステップＳＴ２１１を参照）で判断し、切り替え処理フラグがセットされるまで繰り返し割り込み処理が行われ（ＮＯ）、切り替え処理フラグがセットされると（ＹＥＳ）、割り込み処理を禁止するため、ステップＳＴ１５の処理を行う。
【００６５】
（ステップＳＴ１５）
マイクロコンピュータ１０５は、割り込み処理の実行を禁止する。これにより、盗聴周波数のスキャン処理および音の出力が終了する。
なお、再びステップＳＴ１３の処理が実行されるまで、割り込み処理は行われない。
【００６６】
（ステップＳＴ１６）
マイクロコンピュータ１０５は、盗聴器２００の有無を盗聴器検出フラグ（後述のステップＳＴ２９を参照）によって判断する。マイクロコンピュータ１０５は、盗聴器検出フラグがセットされていれば（ＹＥＳ）、盗聴器２００が検出されたと判断してステップＳＴ１７の処理を行い、盗聴器検出フラグがセットされていなければ（ＮＯ）、盗聴器２００が検出されなかったと判断してステップＳＴ１９の処理を行う。
【００６７】
（ステップＳＴ１７）
マイクロコンピュータ１０５は、盗聴器２００を検出した場合、現時点での音量レベルが最小音量レベル（音量ＶＯＬ１）であるか否かを判断する。マイクロコンピュータ１０５は、最小音量レベルであると判断した場合（ＹＥＳ）、ステップＳＴ１３の処理に戻り、最小音量レベルでないと判断した場合（ＮＯ）、ステップＳＴ１８の処理を行う。
【００６８】
（ステップＳＴ１８）
ステップＳＴ１６にて盗聴器２００が検出され、ステップＳＴ１７にて音量レベルが最小音量レベルでないと判断された場合、マイクロコンピュータ１０５は、たとえばＰＷＭによって音量レベルを１段階下げるためのパルス状の制御信号Ｓ２を生成し、音量調整部１０９１に出力する。たとえば現段階の音量レベルが音量ＶＯＬ５であれば、音量ＶＯＬ４に切り替えるように、音量調整部１０９１は、次回のスキャン処理に向けて、音量ＶＯＬ４の音声信号を生成する。
マイクロコンピュータ１０５は、表示レベルを１段階上げるように、制御信号Ｓ４を生成して表示部１１１に出力する。たとえば現段階の表示レベルが最低レベルの無灯状態であれば、表示部１１１は、ＬＥＤ１のみが点灯するように、スイッチＳＷ１をオンに切り替え、その他のスイッチをオフの状態に切り替える（図４を参照）。
このように、１回のスキャン（ステップＳＴ１３〜ＳＴ１５）で盗聴器２００が検出された場合、音量レベルは１段階下げられ、表示レベルは１段階上げられる
【００６９】
（ステップＳＴ１９）
一方、ステップＳＴ１６にて盗聴器２００が検出されなかった場合、マイクロコンピュータ１０５は、現時点での音量レベルが最大音量レベル（音量ＶＯＬ５）であるか否かを判断する。マイクロコンピュータ１０５が、最大音量レベルであると判断した場合（ＹＥＳ）、音量レベルおよび表示レベルを維持したまま、ステップＳＴ１３の処理に戻り、スキャン処理が再開され、最大音量レベルでないと判断した場合（ＮＯ）、ステップＳＴ１１０の処理を行う。
【００７０】
（ステップＳＴ１１０）
ステップＳＴ１６にて盗聴器２００が検出されず、ステップＳＴ１９にて音量レベルが最大音量レベル（音量ＶＯＬ５）でないと判断された場合、マイクロコンピュータ１０５は、たとえばＰＷＭによって音量レベルを１段階上げるためのパルス状の制御信号Ｓ２を生成し、音量調整部１０９１に出力する。たとえば現段階の音量レベルが音量ＶＯＬ３であれば、音量ＶＯＬ４に切り替えるように、音量調整部１０９１は、次回のスキャン処理に向けて、音量ＶＯＬ４の音声信号を生成する。
マイクロコンピュータ１０５は、表示レベルを１段階下げるように、制御信号Ｓ４を生成して表示部１１１に出力する。たとえば現段階においてＬＥＤ１〜ＬＥＤ３が点灯していれば、表示部１１１は、ＬＥＤ１〜ＬＥＤ２のみが点灯するように、スイッチＳＷ１〜ＳＷ２をオンの状態に保持し、スイッチＳＷ３をオフに切り替える。
このように、１回のスキャンで盗聴器２００が検出されなかった場合、音量レベルは１段階上げられ、表示レベルは１段階下げられる。
その後、再びステップＳＴ１３の処理に戻る。
【００７１】
続いて、ステップＳＴ１３〜ＳＴ１５において実行される割り込み処理について、図６を参照しながら説明する。
【００７２】
（ステップＳＴ２１）
割り込み処理のルーチンが開始される。後述のステップＳＴ２７における演算を行って盗聴器２００を検出する場合、割り込み処理を行う周波数は、Ａ／Ｄ変換のサンプリング周波数であり、出力音の周波数の４倍となる。たとえば、出力音が１ｋＨｚであれば、割り込み周波数は４ｋＨｚである。
【００７３】
（ステップＳＴ２２）
マイクロコンピュータ１０５は、特定周波数の音声信号を出力させる信号Ｓ１の信号レベルを切り替えて信号増幅器１０９に出力し、信号増幅器１０９は、音声信号を生成する。割り込み周波数が４ｋＨｚであれば、１ｋＨｚの音声信号を出力するため、２回の割り込み処理ごとに、信号のレベルを切り替えて（ハイレベルならローレベルに、ローレベルならハイレベルに）処理を行う。
【００７４】
（ステップＳＴ２３）
マイクロコンピュータ１０５は、バンドパスフィルタ１０４から入力された音声信号を内蔵されたＡ／Ｄ変換器にて割り込み処理毎にアナログからデジタルの信号にＡ／Ｄ変換する。
【００７５】
（ステップＳＴ２４）
マイクロコンピュータ１０５は、不図示のカウンタ等を用いてスキャン開始時点（たとえばステップＳＴ１３の直後）からの経過時間をカウントしており、最大音量かつ所定時間（本実施形態では１００ｍｓ程度）経過したか否かを判断する。経過時間が所定時間を経過している場合（ＹＥＳ）、ステップＳＴ２５の処理を実行し、経過時間が所定時間を経過していない場合（ＮＯ）、ステップＳＴ２７の処理を実行する。なお、経過時間の設定は、本実施形態に限定されず、好適に設定できる。
【００７６】
（ステップＳＴ２５）
マイクロコンピュータ１０５は、受信レベル検出部１０２４から入力された検出信号ＳＲの真偽に基づいた処理を行う。具体的には、マイクロコンピュータ１０５は、真の検出信号ＳＲ１が入力された場合、ステップＳＴ２７の処理を行い、偽の検出信号ＳＲ２が入力された場合、ステップＳＴ２６の処理を行う。
【００７７】
（ステップＳＴ２６）
ステップＳＴ２５にて、検出信号ＳＲが偽の検出信号ＳＲ２であった場合、マイクロコンピュータ１０５は、音声信号の出力を停止させる制御信号Ｓ３２を信号増幅器１０９に出力する。これにより、信号増幅器１０９は、制御信号Ｓ３２が入力され、音声信号の出力を停止（キャンセル）し、ステップＳＴ２７の処理を行う。
【００７８】
ところで、盗聴器２００は、動作（盗聴）中に電波信号を出力しているため、盗聴器検出器１００が盗聴器２００に近づくと、受信レベルがしきい値を超える受信領域が存在する。すなわち、受信レベルが所定のしきい値を超えないということは、盗聴器検出器１００が受信領域外に位置していることを示す。
本ステップＳＴ２６の処理により、盗聴器検出器１００が不必要な音を放音（出力）することを防いでいる。
【００７９】
（ステップＳＴ２７）
一方、ステップＳＴ２５にて、検出信号ＳＲが真の検出信号ＳＲ１であった場合、マイクロコンピュータ１０５は、特定周波数の音声信号を出力させる制御信号Ｓ３１を信号増幅器１０９に出力し、信号増幅器１０９は、特定周波数の音声信号を出力する。
マイクロコンピュータ１０５は、所定の演算方法によって特定周波数成分（たとえば１ｋＨｚ）の振幅の大きさ（すなわち電圧）を算出する。
【００８０】
（ステップＳＴ２８）
マイクロコンピュータ１０５は、ステップＳＴ２７において算出した特定周波数成分の振幅の大きさが、しきい値以上であれば（ＹＥＳ）、盗聴器２００を検出したものと判断してステップＳＴ２９の処理を行い、しきい値以下であれば（ＮＯ）、盗聴器２００が未検出であるものと判断してステップＳＴ２１０の処理を行う。
【００８１】
（ステップＳＴ２９）
特定周波数成分の振幅の大きさがしきい値以上のとき、マイクロコンピュータ１０５は、盗聴器検出フラグをセットし、ステップＳＴ２１０の処理を行う。なお、本ステップＳＴ２９の盗聴器検出フラグは、ステップＳＴ１６の処理に用いられる。
【００８２】
（ステップＳＴ２１０）
マイクロコンピュータ１０５は、エンド信号ＥＮＤがハイレベルになった場合、またはステップＳＴ２９の処理において盗聴器検出フラグがセットされた場合、切り替え処理を行うものと判断して（ＹＥＳ）、ステップＳＴ２１１の処理を行い、いずれでもない場合（ＮＯ）、ステップＳＴ２１２の処理を行い、割り込み処理を終了する。
【００８３】
（ステップＳＴ２１１）
マイクロコンピュータ１０５は、音量レベルおよび表示レベルを切り替える場合、切り替え処理フラグをセットし、割り込み処理を終了する（ステップＳＴ２１２）。
【００８４】
以上説明した図５，図６に示す処理は、手順に応じたプログラムとして形成し、ＣＰＵ等のマイクロコンピュータ１０５で実行するように構成されている。上述した処理の一部をハードウェアで実現することもできる。
【００８５】
最後に、盗聴器検出器１００全体の動作について、図１を中心に図７を適宜参照しながら説明する。
図７は、本実施形態に係る切り替え部、およびスキャン部の動作を説明するためのタイミングチャートである。図７（Ａ）は、電流供給ノードＮＤＩの電圧ＶＣＮＴを、図７（Ｂ）は、エンド信号ＥＮＤを、図７（Ｃ）は、リセット信号ＲＳＴを、図７（Ｄ）は、受信レベル検出部１０２４の受信レベルを、図７（Ｅ）は、切り替え信号ＣＮＴを、図７（Ｄ）のＬＥＶは受信レベルの一定値をそれぞれ示す。
【００８６】
はじめに、受信回路１０２の動作を中心に説明する。
【００８７】
高周波増幅器１０２１は、高周波信号を増幅し、混合器１０２２は、この増幅された高周波信号とＶＣＯ１０８が出力する所定周波数の信号とを掛け合わせる。
【００８８】
そして、ＶＣＯ１０８は、スキャン部１０６の制御信号に基づいて、所定周波数の信号を生成し、スキャン部１０６の出力電圧に応じて、所定の周波数の信号を生成し、混合器１０２２に出力する。
【００８９】
中間周波数増幅器１０２３は、混合器１０２２から入力され、掛け合わされた信号から、中間周波数成分の信号を取り出して検波器１０２５と受信レベル検出部１０２４とに出力する。
【００９０】
受信レベル検出部１０２４は、中間周波数の信号の受信レベルが所定のしきい値を超えたか否かを判断し、しきい値を超えた場合は真の検出信号ＳＲ１（たとえばハイレベルの信号）を、しきい値を超えない場合は偽の検出信号ＳＲ２（たとえばローレベルの信号）をマイクロコンピュータ１０５に出力する。
【００９１】
つづいて、増幅器１０３は、検波器１０２５にて検波された音声信号を所定の音声レベルまで増幅し、バンドパスフィルタ１０４に出力する。そして、バンドパスフィルタ１０４が、増幅された音声信号から特定の周波数成分を取りだし、マイクロコンピュータ１０５に出力する。
【００９２】
次に、スキャン部１０６の動作を中心に、スキャン部１０６がスキャンし、ＶＣＯ１０８が所定周波数の信号を混合器１０２２に出力するまでの動作について説明する。
【００９３】
切り替え部１０７は、マイクロコンピュータ１０５の制御信号に基づいて、スイッチをオンまたはオフに切り替える。
【００９４】
切り替え部１０７は、受信レベル検出部１０２４にて検出された受信レベルが一定値以下の場合は、スイッチをオンに切り替え、電波信号の受信レベルが一定値以上の場合は、スイッチをオフに切り替える。
【００９５】
スキャン部１０６は、マイクロコンピュータ１０５の制御信号と、切り替え部１０７のスイッチの切り替えに応じて、低速または通常のスキャン速度でスキャンする。
【００９６】
具体的には、切り替え部１０７のスイッチがオンの場合は、スキャン部１０６は、キャパシタを第１および第２の電流源で充電する（通常のスキャン速度）。切り替え部１０７のスイッチがオフの場合は、スキャン部１０６は、キャパシタを第１の電流源のみで充電する（低速スキャン）。
【００９７】
そして、スキャン部１０６は、電流供給ノードＮＤＩの電圧が所定の電圧に達するまで、スキャンを行い、電流供給ノードＮＤＩの電圧をＶＣＯ１０８に出力する。
【００９８】
ここで、スキャン部１０６および切り替え部１０７の動作についてより詳細に説明する。
【００９９】
スキャン処理開始時に、図７（Ｃ）のように、マイクロコンピュータ１０５がリセット信号線ＲＳＴＬにハイレベルのリセット信号ＲＳＴを伝搬させることによって、トランジスタＴＲ４がオンに切り替わり、電流供給ノードＮＤＩの電圧が接地電位ＧＮＤにリセットされ、キャパシタＣ１の電荷が０になる。
【０１００】
その後、図７（Ｃ）のように、マイクロコンピュータ１０５がリセット信号線ＲＳＴＬにローレベルのリセット信号ＲＳＴを伝搬させることによって、トランジスタＴＲ４がオフに切り替わり、図７（Ａ）のように、キャパシタＣ１の充電が開始される。
【０１０１】
（通常時のスキャン）
マイクロコンピュータ１０５は、受信レベル検出部１０２４の出力を監視しており、図７（Ｄ）のように、受信レベル検出部１０２４が出力する受信レベルが一定値（以後、図７の説明ではＬＥＶとする）以下の場合は、図７（Ｅ）のように、切り替え信号線ＣＮＴＬにハイレベルの切り替え信号ＣＮＴを伝搬させることによって、トランジスタＴＲ６がオンに切り替わり、第２の電流源が生成する電流ＩＣ４が電流供給ノードＮＤＩを介して、キャパシタＣ１に供給される。
【０１０２】
この時、キャパシタＣ１は、第１および第２の電流源が生成する電流ＩＣ３およびＩＣ４によって充電され、図７（Ａ）のように電流供給ノードＮＤＩの電圧ＶＣＮＴが上昇する。
【０１０３】
そして、この電圧ＶＣＮＴは、ＶＣＯ制御信号線ＶＣＮＴＬに伝搬され、ＶＣＯ１０８に出力される。
【０１０４】
（低速スキャン）
図７（Ｄ）に示すように、受信レベル検出部１０２４が出力する受信レベルが一定値以上の場合は、図７（Ｅ）のように、マイクロコンピュータ１０５は、切り替え信号線ＣＮＴＬにローレベルの切り替え信号ＣＮＴを伝搬させることによって、トランジスタＴＲ６がオフに切り替わり、第２の電流源が生成する電流ＩＣ４は電流供給ノードＮＤＩを介して、キャパシタＣ１に供給されない。
【０１０５】
この時、キャパシタＣ１は、第１の電流源が生成する電流ＩＣ３のみによって充電され、図７（Ａ）のように電圧ＶＣＮＴが上昇する。この時の電圧ＶＣＮＴの上昇は、キャパシタＣ１を電流ＩＣ３および電流ＩＣ４で充電する通常のスキャン時と比較して緩やかに上昇する。
【０１０６】
そして、この電圧ＶＣＮＴは、ＶＣＯ制御信号線ＶＣＮＴＬに伝搬され、ＶＣＯ１０８に出力される。
【０１０７】
（通常時のスキャン）
図７（Ｄ）に示すように、再び受信レベル検出部１０２４が出力する受信レベルが一定値以下に切り替わったとすると、図７（Ｅ）のように、マイクロコンピュータ１０５が、再び切り替え信号線ＣＮＴＬにハイレベルの切り替え信号ＣＮＴを伝搬させ、トランジスタＴＲ６がオンに切り替わって、第２の電流源の出力がオンに切り替わる。
【０１０８】
この時、キャパシタＣ１は、第１および第２の電流源が生成する電流ＩＣ３およびＩＣ４によって充電され、図７（Ａ）のように電流供給ノードＮＤＩの電圧ＶＣＮＴが上昇する。
【０１０９】
そして、この電圧ＶＣＮＴは、ＶＣＯ制御信号線ＶＣＮＴＬに伝搬され、ＶＣＯ１０８に出力される。
【０１１０】
電圧比較部ＣＰＮは、電流供給ノードＮＤＩの電圧とノードＮＤ１の電圧とを比較する。電流供給ノードＮＤＩの電圧ＶＣＮＴが、抵抗Ｒ１とＲ２による分圧電圧（ノードＮＤ１の電圧）がＶＢ１に達した時、図７（Ｂ）のように、ノードＮＤ３の電位が上昇して、エンド信号線ＥＮＤＬのエンド信号ＥＮＤがハイレベルに切り替わり、ハイレベルのエンド信号ＥＮＤがマイクロコンピュータ１０５に出力される。
【０１１１】
図７（Ｃ）のように、マイクロコンピュータ１０５が、再びリセット信号線ＲＳＴＬにハイレベルのリセット信号ＲＳＴを伝搬させることによって、電流供給ノードＮＤＩの電圧が接地電位ＧＮＤにリセットされる。
【０１１２】
このときが、スキャン周波数の最大時（本実施形態では５００ＭＨｚ）であり、１回のスキャンが終了する。
【０１１３】
換言すると、受信レベルが一定値以下の場合は、切り替え部１０７が、トランジスタＴＲ６をオンに切り替え、キャパシタＣ１の充電を電流ＩＣ３とＩＣ４で充電する（通常のスキャン）。受信レベルが一定値以上の場合は、切り替え部１０７が、トランジスタＴＲ６をオフに切り替え、キャパシタＣ１の充電を受信レベルが一定値以下の場合より少ない電流ＩＣ３のみで充電する（低速スキャン）。
【０１１４】
言い換えれば、受信レベルが一定値以下の場合は、切り替え部１０７が第２の電流源をオンに切り替えることで、キャパシタＣ１が短時間で充電され、盗聴器２００が発信していない周波数帯域を通常時より高速にスキャンする。
【０１１５】
本盗聴器検出器１００は、スピーカ１１０で発信させる音量を連続的に変化させながらスキャンを行う。そのため、ＶＣＯ１０８の発振周波数が固定される必要がない。
【０１１６】
本実施形態では、受信信号の受信レベルに応じて、切り替え部がスキャン速度を切り替えることで、電波信号に特定の情報が含まれているかを判断する信号処理を行う十分な時間を確保している。
【０１１７】
一方、ＶＣＯ１０８は、スキャン部１０６の出力電圧に応じて、所定の周波数の信号を生成する。このようにして、ＶＣＯ１０８は、混合器１０２２に所定周波数の信号を出力する。
【０１１８】
盗聴器検出器１００の使用法について述べる。たとえば、ユーザは盗聴器検出器１００を把持し、盗聴器２００が設置されていると思われる周辺を移動する。音量レベルが最小レベルに、表示レベルが最大レベルになるときが、盗聴器２００の設置場所に最も近いと推定できる。
【０１１９】
本実施形態によれば、盗聴器２００が送信している電波信号の受信レベルを検出する受信レベル検出部１０２４と、特定音を発音する信号増幅器１０９と、受信レベル検出部１０２４の検出結果に基づいて信号増幅器１０９を制御するマイクロコンピュータ１０５とが設けられ、受信レベル検出部１０２４が、受信レベルを所定のしきい値と比較し、比較結果に応じて特定音を発するか否かを判断する。
【０１２０】
したがって、盗聴器検出器は、必要なときのみ音を発信し、ユーザや周囲の人に不快感を与えることなく、静かな環境で盗聴器検出器を使用できる。
【０１２１】
１回のスキャンで盗聴器が検出された場合、音量レベルが１段階下げられ、表示レベルは１段階上げられる。逆に、１回のスキャンで盗聴器が検出されなかった場合、音量レベルが１段階上げられ、表示レベルは１段階下げられる。これが交互に繰り返されることにより、ユーザは、音量を手がかりに盗聴器までの距離を推定しやすくなる。
【０１２２】
音量と表示の変更は、マイクロコンピュータ１０５にて自動的に連続して実行されるため、ユーザは、音量調節を手動で行う必要がなく、ユーザ自身が移動するだけで盗聴器の設置場所まで容易に到達できる利点がある。したがって、専門知識を必要とせずに容易に盗聴器を発見できる。
【０１２３】
本盗聴器検出器は、受信レベルに関係なく、定期的に特定音を発信するため、ＶＯＸ機能が搭載された盗聴器の検出にも対応できる利点がある。
【０１２４】
（第２実施形態）
他の実施形態について説明する。図８は、本実施形態に係る盗聴器検出器の一形態を示すブロック図である。なお、本実施形態の説明では、第１実施形態と異なる点のみ説明する。
【０１２５】
図８に示すように、盗聴器検出器１００ａは、スイッチ回路１１３を有する。スイッチ回路１１３は、スイッチＳＷ１１３で構成され、スイッチＳＷ１１３の一端が信号増幅器１０９ａに、他端がスピーカ１１０に接続されている。
【０１２６】
受信レベル検出部１０２４ａは、検出信号ＳＲをスイッチＳＷ１１３に直接出力する。受信レベル検出部１０２４ａは、受信レベルが所定のしきい値を超えたか否かを判断し、しきい値を超えた場合は真の検出信号ＳＲ１（たとえばハイレベルの電圧信号）を、しきい値を超えない場合は偽の検出信号ＳＲ２（たとえばローレベルの電圧信号）をスイッチＳＷ１１３に直接出力する。
【０１２７】
スイッチ回路１１３は、受信レベル検出部１０２４ａから検出信号ＳＲが直接入力され、スイッチＳＷ１１３をオンまたはオフに切り替える。詳細には、スイッチ回路１１３は、真の検出信号ＳＲ１が入力された場合、スイッチＳＷ１１３をオンに切り替え、偽の検出信号ＳＲ２が入力された場合、スイッチＳＷ１１３をオフに切り替える。なお、スイッチＳＷ１１３は、たとえばスイッチングトランジスタで構成されているが、スイッチＳＷ１１３およびスイッチ回路１１３の構成等は、本実施形態に限定されない。
【０１２８】
すなわち、スイッチ回路１１３に受信レベル検出部１０２４ａから検出信号ＳＲが直接入力され、スイッチＳＷ１１３がオンに切り替えられた場合のみ、信号増幅器１０９ａが生成した音声信号がスピーカ１１０ａを介して特定音として発信される。
【０１２９】
本実施形態によれば、ユーザや周囲の人に不快感を与えることなく、静かな環境で盗聴器検出器を使用できるだけでなく、マイクロコンピュータ１０５に掛かる演算の負荷が軽減され、盗聴器検出処理を素早く実行できる。本実施形態は、処理速度が遅いマイクロコンピュータや、入出力ポートの少ないマイクロコンピュータに有効である。
【０１３０】
音量レベルと表示レベルとを一致させる必要はない。たとえば、音量レベルを６段階、表示レベルを３段階に設定し、音量レベルが２段階下がる度に表示レベルを１段階上げてもよい。
【０１３１】
特定周波数の音の発信は、スキャンに連動する必要がない。たとえば、タイマ等を用いて周期的に音を発信するようにしてもよい。音の出力期間も特に限定されない。ステップＳＴ２５の処理を、すべての音量レベルで実行してもよい。
音量レベルと表示レベルとを一致させる必要はない。たとえば、音量レベルを６段階、表示レベルを３段階に設定し、音量レベルが２段階下がる度に表示レベルを１段階上げてもよい。
【０１３２】
本実施形態に係る盗聴器検出処理を実行するプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【０１３３】
本発明は、当業者であれば本発明の要旨を変更しない範囲内で様々な改変が可能である。
【図面の簡単な説明】
【０１３４】
【図１】第１実施形態に係る盗聴器検出器の一形態を示すブロック図である。
【図２】第１実施形態に係るスキャン部および切り替え部の構成例を示す回路図である。
【図３】第１実施形態に係る音量調整部を説明するための図である。
【図４】第１実施形態に係る表示部の主要部の構成例を示す回路図である。
【図５】第１実施形態に係る盗聴器検出器による盗聴器検出処理例を示すフローチャートである。
【図６】第１実施形態に係る割り込み処理例を示すフローチャートである。
【図７】第１実施形態に係る切り替え部、およびスキャン部の動作を説明するためのタイミングチャートである。
【図８】第２実施形態に係る盗聴器検出器の一形態を示すブロック図である。
【符号の説明】
【０１３５】
１００…盗聴器検出器、１０１…受信アンテナ、１０２…受信回路、１０３…増幅器、１０４…バンドパスフィルタ、１０５…マイクロコンピュータ（ＣＰＵ）、１０６…スキャン部、１０７…切り替え部、１０８…ＶＣＯ、１０９…信号増幅器、１１０…スピーカ、１１１…表示部、１１２…記憶部、１１３…スイッチ回路、１０２１…高周波増幅器、１０２２…混合器、１０２３…中間周波数増幅器、１０２４…受信レベル検出部、１０２５…検波器、１０９１…音量調整部、２００…盗聴器、２０１…（盗聴器の）アンテナ、２０２…マイクロフォン、Ｃ１…キャパシタ、ＩＣ３、ＩＣ４…電流源、ＮＤ１〜ＮＤ８…ノード、ＮＤＩ…電流供給ノード、Ｒ１〜Ｒ１０…抵抗、ＴＲ１〜ＴＲ３、ＴＲ５…ｐｎｐ型のトランジスタ、ＴＲ４、ＴＲ６…ｎｐｎ型のトランジスタ、ＶＣＮＴＬ…ＶＣＯ制御信号線、ＲＳＴＬ…リセット信号線、ＣＮＴＬ…切り替え信号線、ＥＮＤＬ…エンド信号線、ＶＣＮＴ…ＶＣＯ制御信号、ＲＳＴ…リセット信号、ＣＮＴ…切り替え信号、ＥＮＤ…エンド信号、ＳＷ１１３…スイッチ。
【図１】
0004837692.tif 000002
【図２】
0004837692.tif 000003
【図３】
0004837692.tif 000004
【図４】
0004837692.tif 000005
【図５】
0004837692.tif 000006
【図６】
0004837692.tif 000007
【図７】
0004837692.tif 000008
【図８】
0004837692.tif 000009